(57)【要約】      （修正有）【課題】使用者が略水平状態で足を伸ばした状態で足を効率良く温める足浴器を提供する。【解決手段】足浴器Ａは、足を入れる空間１ａを有すると共に、足に液体をかける液体の噴出口１ｂと、前記液体の排出口１ｃとを有する本体１と、前記足の周りに当接して、前記足が入った状態の本体１の内側と外側とをシールするシール部材と、液体の噴出口１ｂと排出口１ｃとを接続した液体通路１０と、この液体通路１０に設けられ、液体通路１０内の前記液体を圧送するポンプ１３と、液体通路１０に設けられ、前記液体を加熱するヒータ１４と、本体１は、液体の噴出口１ｂより前記液体を受け入れると共に、開口部を有し、受体１１と、開口部を開閉する蓋１２とを有し、本体１内に入る足の当接する部位は、受体１１と蓋１２との間にあるシール部材は、受体１１の側に位置する第１のシール部材と、蓋１２の側に位置する第２のシール部材とに分離した構成とする。【選択図】図５
2006014944.tif 000002
【特許請求の範囲】
【請求項１】
足を入れる空間を有すると共に、前記足に液体をかける液体の噴出口と、この液体の噴出口より噴出された前記液体を排出する排出口とを有する本体と、
この本体内に入った前記足の周りに当接して、前記足が入った状態の前記本体の内側と外側とをシールするシール部材と、
前記液体の噴出口と前記排出口とを接続して前記液体の通路となる液体通路と  、
この液体通路に設けられ、前記液体通路内の前記液体を圧送するポンプと、
前記液体通路に設けられ、前記液体通路内の前記液体を加熱するヒータと、
前記本体は、前記液体の噴出口より噴出された前記液体を受け入れると共に、開口部が上方を向く凹所を有し、略水平状態に設置された受体と、この受体の凹所の開口部を開閉する蓋とを有し、
前記本体内に入る足の当接する部位は、前記受体と前記蓋との間にある前記シール部材であり、
前記シール部材は、前記受体の側に位置する第１のシール部材と、前記蓋の側に位置する第２のシール部材とに分離している
ことを特徴とする足浴器。
【請求項２】
噴出口はノズルであり、前記ノズルにより液体を噴霧する
ことを特徴とする請求項１記載の足浴器。
【請求項３】
噴出口はノズルであり、前記ノズルを複数設け、前記ノズルより噴出される液体の圧力を可変して足にかける
ことを特徴とする請求項１記載の足浴器。
【請求項４】
本体は昇降自在な支持部材に支持されている
ことを特徴とする請求項１記載の足浴器。
【請求項５】
シール部材に当接する足は、脚の股の部分から下の部分である
ことを特徴とする請求項１記載の足浴器。
【発明の詳細な説明】
【技術分野】
【０００１】
本発明は、足浴器に係り、特に、使用者が略水平状態で足を伸ばした状態で足を効率良く温めることができる足浴器に関する。
【背景技術】
【０００２】
従来、足を温める足浴器として、湯槽と、この湯槽に貯留した湯を加熱・保温するためのヒータとを備えたものがある（例えば、特許文献１参照。）。
この足浴器においては、湯槽内に貯留した湯に足を浸漬させて使用し、足を温めるようにしている。
【０００３】
【特許文献１】特開２００３−１８０７２４号公報
【０００４】
そのため、上述した足浴器においては、湯槽に足を浸漬させる程度の水が必要であると共に、この水を加熱・保温しなければならず、消費電力がかかり、また、使用者がリラックスできる、例えば、使用者が略水平状態で足を伸ばした状態で足を温めることが構造的にできないという問題点があった。
【発明の開示】
【発明が解決しようとする課題】
【０００５】
本発明は、上述した問題点を除去するようにした足浴器を提供することを目的としている。
【課題を解決するための手段】
【０００６】
前記した目的を達成するための本発明の足浴器は、足を入れる空間を有すると共に、前記足に液体をかける液体の噴出口と、この液体の噴出口より噴出された前記液体を排出する排出口とを有する本体と、この本体内に入った前記足の周りに当接して、前記足が入った状態の前記本体の内側と外側とをシールするシール部材と、前記液体の噴出口と前記排出口とを接続して前記液体の通路となる液体通路と、この液体通路に設けられ、前記液体通路内の前記液体を圧送するポンプと、前記液体通路に設けられ、前記液体通路内の前記液体を加熱するヒータと、前記本体は、前記液体の噴出口より噴出された前記液体を受け入れると共に、開口部が上方を向く凹所を有し、略水平状態に設置された受体と、この受体の凹所の開口部を開閉する蓋とを有し、前記本体内に入る足の当接する部位は、前記受体と前記蓋との間にある前記シール部材であり、前記シール部材は、前記受体の側に位置する第１のシール部材と、前記蓋の側に位置する第２のシール部材とに分離している。
【０００７】
また、請求項２記載の足浴器は、請求項１記載の足浴器において、噴出口はノズルであり、前記ノズルにより液体を噴霧するものである。
【０００８】
また、請求項３記載の足浴器は、請求項１記載の足浴器において、噴出口はノズルであり、前記ノズルを複数設け、前記ノズルより噴出される液体の圧力を可変して足にかけるものである。
【０００９】
また、請求項４記載の足浴器は、請求項１記載の足浴器において、本体は昇  降自在な支持部材に支持されているものである。
【００１０】
また、請求項５記載の足浴器は、請求項１記載の足浴器において、シール部  材に当接する足は、脚の股の部分から下の部分である。
【発明の効果】
【００１１】
請求項１記載の足浴器によれば、受体が略水平状態に設置され、本体内に入る足の当接する部位が、前記受体と蓋との間に位置しているため、使用者が略水平状態で足を伸ばした状態、つまり、リラックスした状態で、液体をヒータにより加熱して液体の噴出口より足にかけ、しかも、液体通路を介して液体を循環させるため、液体の使用量を少なくして、足を効率良く温めることができ、更に、本体内の液体はシール部材によりシールされ、本体の外へ飛散されるのを防ぐことができる。
【００１２】
また、請求項２記載の足浴器によれば、請求項１記載の発明の効果に加え、液体を噴霧状態で足にかけるため、液体の使用量を少なくして本体内の雰囲気温度を高め、足を効率良く温めることができる。
【００１３】
また、請求項３記載の足浴器によれば、請求項１記載の発明の効果に加え、液体の噴出口よりの液体が霧状でないある程度の水圧があって、しかも、水圧が可変する液体を足にかけるため、水圧によるマッサージ効果を得ることができる。
【００１４】
また、請求項４記載の足浴器によれば、請求項１記載の発明の効果に加え、本体は昇降自在な支持部材に支持されているため、使用者の使用状態、つまり、足を高く、又は、低くしたい場合に対応することができる。
【発明を実施するための最良の形態】
【００１５】
次に、本発明の一実施例である足浴器を図面を参照して説明する。
図１乃至図５において、Ａは足を温めることができる足浴器で、足浴器Ａは、概略的に、本体１と、この本体１を支持する支持部材２で構成されている。支持部材２は、昇降自在な構成となっている。そのため、使用者の使用状態、つまり、足を高く、又は、低くしたい場合に対応することができるようになっている  。
【００１６】
本体１は、足を入れる空間１ａを有すると共に、足に液体をかける液体の噴出口１ｂと、この液体の噴出口１ｂより噴出された液体を排出する排出口１ｃとを有する。液体の噴出口１ｂ（例えば、ノズル）は、本体１内に入った足の周りに、液体をかけるように、本体１の内壁に複数設けられている。
【００１７】
Ｓはシール部材で、シール部材Ｓは、本体１内に入った足の周りに当接して、前記足が入った状態の本体１の内側と外側とをシールするするようになっている。本体１は、液体の噴出口１ｂより噴出された液体を受け入れると共に、開口部が上方を向く凹所を有し、略水平状態に設置された受体１１と、この受体１１の凹所の開口部を開閉する蓋１２とを有し、蓋１２には、外部より本体１の内部を目視できる透明な窓部１２ａが設けられている。
また、本体１内に入る足の当接する部位は、図１に示すように、受体１１と蓋１２との間にあるシール部材Ｓであり、シール部材Ｓは、例えば、弾性変形可能な弾性部材で、受体１１の側に位置する第１のシール部材Ｓ1と、蓋１２の側に位置する第２のシール部材Ｓ2とに分離している。足の当接する部位は、図１記載のように膝でも良いが、脚の股の部分から下の部分であれば良い。
【００１８】
また、液体の噴出口１ｂと排出口１ｃは接続され、液体の通路となる液体通路１０を構成している。１３は、液体通路１０に設けられ、液体通路１０内の液体を圧送するポンプで、１４は、液体通路１０に設けられ、液体通路１０内の液体を加熱するヒータである。１５は、液体通路１０を切り替える切替弁で、１６は、液体通路１０内の液体を本体１の外へ排出する手動ホースである。
なお、液体の噴出口１ｂは、噴出口の向きを可変できるようになっている（図６参照）。そのため、窓部１２ａを見ながら、使用者等の要求に応じて、液体の噴出口１ｂの向きの調整を図ることができるようになっている。液体の噴出口１ｂを液体を噴出するノズルにすると共に、該ノズルより噴出される液体の圧力を可変（例えば、ポンプ１１の回転数を可変とする。）にして足にかけることもできる。なお、ノズルより噴出される液体の圧力の可変は、使用者が圧力の強弱を
調整するようにしても良いし、また、装置で自動的に水圧が変化するように制御しても良い。また、液体の噴出口１ｂ’は、他の液体の噴出口１ｂとは、異なり可撓性のあるチューブＴに接続され、作業者が使用者の要求する部位等にかけることができる。
【００１９】
従って、上述した足浴器Ａによれば、受体１１が略水平状態に設置され、本体１内に入る足の当接する部位が、受体１１と蓋１２との間に位置しているため、使用者が略水平状態で足を伸ばした状態、つまり、リラックスした状態で、液体をヒータ１２により加熱して液体の噴出口１ｂより足にかけ、しかも、液体通路１０を介して液体を循環させるため、液体の使用量を少なくして、足を効率良く温めることができ、更に、本体１内の液体はシール部材Ｓによりシールされ、本体１の外へ飛散されるのを防ぐことができる。
【００２０】
また、液体の噴出口１ｂを液体を噴霧するノズルにすると、液体を噴霧状態で足にかけるため、液体の使用量を少なくして本体１内の雰囲気温度を高め、足を効率良く温めることができる。
【００２１】
また、液体の噴出口１ｂよりの液体が霧状でないある程度の水圧があって、しかも、水圧が可変する液体を足にかけるようにすると、水圧によるマッサージ効果を得ることができる。
【図面の簡単な説明】
【００２２】
【図１】図１は、本発明の一実施例の足浴器の使用状態を示す概略的断面図である。
【図２】図２は、図１の足浴器を斜め上部より見た概略的斜視図である。
【図３】図３は、図１の足浴器の蓋を開いて示す概略的平面図である。
【図４】図４は、図１の足浴器の概略的右側面図である。
【図５】図５は、図１の足浴器の本体内構造を概略的に示す説明図である。
【図６】図６は、図１の足浴器 の液体の噴出口を概略的に示す概略的斜視図である。
【符号の説明】
【００２３】
Ａ      足浴器
１       本体
１ａ     空間
１ｂ     液体の噴出口
１ｃ     排出口
１０     液体通路
１１     受体
１２     蓋
１３     ポンプ
１４     ヒータ
Ｓ        シール部材
Ｓ1       第１のシール部材
Ｓ2       第２のシール部材
【図１】
2006014944.tif 000003
【図２】
2006014944.tif 000004
【図３】
2006014944.tif 000005
【図４】
2006014944.tif 000006
【図５】
2006014944.tif 000007
【図６】
2006014944.tif 000008